(57)【特許請求の範囲】
【請求項１】
（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で１〜３０質量％、（ｂ）リバースプルロニック型ブロックポリマーを１１〜８０質量％、及び、（ｃ）水を１０〜５０質量％含むことを特徴とする自動洗浄機用洗浄剤組成物。
【化１】
0005996822.tif 000010
（式中、Ｒ１は、炭素数２〜２０の２〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、２〜８の整数を表し、ｍ個の〔−Ｏ―（Ａ１Ｏ）ｎ−Ｈ〕は同一であってもよく、異なっていてもよい。）
【化２】
0005996822.tif 000011
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【請求項２】
前記一般式（２）において、Ｒ２が炭素数３〜１５のアルキル基を表し、前記Ａ２Ｏがオキシプロピレン基を表し、ｔが、２〜６０の数である請求項１に記載の自動洗浄機用洗浄剤組成物。
【請求項３】
前記一般式（２）で表される化合物が、ポリオキシプロピレントリデシルエーテルである請求項１又は２に記載の自動洗浄機用洗浄剤組成物。
【請求項４】
前記一般式（１）において、Ｒ１が炭素数２〜１０の２価又は３価の脂肪族アルコールから全部の水酸基を除いた残基を表し、Ａ１Ｏがオキシプロピレン基を表し、ｎが２〜２５０の数であり、ｍが２又は３の整数を表す請求項１〜３のいずれかに記載の自動洗浄機用洗浄剤組成物。
【請求項５】
さらに、（ｄ）２又は３価の多価アルコール、（ｅ）オキシエチレン基を有する下記一般式（３）で表されるポリオキシアルキレンモノアルキルエーテル及び（ｆ）プルロニック型ブロックポリマーからなる群より選択される少なくとも１種の化合物を合計で５〜５０質量％含む請求項１〜４のいずれかに記載の自動洗浄機用洗浄剤組成物。
【化３】
0005996822.tif 000012
（式中、Ｒ３は、炭素数１０〜１６のアルキル基又はアルケニル基を表し、Ａ３Ｏは、同一又は異なって、オキシエチレン基を必須とする炭素数２〜４のオキシアルキレン基を表し、ｓは、オキシアルキレン基の平均付加モル数を表し、１０〜２００の数である。）
【請求項６】
前記リバースプルロニック型ブロックポリマー中のオキシエチレン基（ＥＯ）とオキシプロピレン基（ＰＯ）のモル比（ＥＯ／ＰＯ）が１／１０〜１／２である請求項１〜５のいずれかに記載の自動洗浄機用洗浄剤組成物。
【請求項７】
自動食器洗浄機用洗浄剤組成物である請求項１〜６のいずれかに記載の自動洗浄機用洗浄剤組成物。
【発明の詳細な説明】
【技術分野】
【０００１】
本発明は、自動洗浄機用洗浄剤組成物に関する。
【背景技術】
【０００２】
ホテル、レストラン等においては、作業の効率化、衛生管理などの観点から、使用後の食器又は調理器具の洗浄に自動食器洗浄機等の自動洗浄機が用いられている。また、一般家庭においても、近年急速に自動洗浄機が普及している。自動洗浄機に用いられる洗浄剤組成物に求められる性能として、洗浄力が高いことに加えて、泡立ちが少ないこと（低泡性）が挙げられる。
【０００３】
特許文献１には、主洗浄成分の水溶液と、低泡性界面活性剤からなる補助洗浄成分とが分離された状態で構成されてなる自動食器洗浄機用洗浄剤が記載されている。特許文献２には、６０〜９０重量％の低泡性非イオン界面活性剤と、５〜２４重量％の多価アルコール及び／又はグリコールと、５〜１６重量％の水とからなる食器洗浄機用の補助洗浄剤組成物が記載されており、この補助洗浄剤組成物が、非危険物に該当する安全性を保持し、かつシリコン系消泡剤を配合する場合も含めて、均一溶解性あるいは保存安定性を保持すると記載されている。特許文献３には、汚れの量や強度に応じて、食器洗浄機用洗剤の使用時に、その食器洗浄機用洗浄剤に添加して用いられる液状の洗浄剤組成物として、（Ａ）アニオン界面活性剤等から選ばれる界面活性剤１〜１０重量％、（Ｂ）有機電解質高分子重合体５〜１５重量％、（Ｃ）プロピレングリコール等の水溶性溶剤０．８〜５重量％及び（Ｄ）水からなり、水酸化ナトリウム及び水酸化カリウムを含まない自動食器洗浄機用洗浄助剤組成物が記載されている。
【先行技術文献】
【特許文献】
【０００４】
【特許文献１】特許第２９２１７９１号公報
【特許文献２】特許第４０２６８７３号公報
【特許文献３】特許第４０１５７２７号公報
【発明の概要】
【発明が解決しようとする課題】
【０００５】
自動洗浄機は、高温（例えば、４０〜７０℃）の洗浄液を噴射して食器等の汚れを落とすタイプのものが主流であるが、自動洗浄機の立ち上げ（運転開始）時には、洗浄液の水温は室温程度の低温である場合が多い。このように洗浄液の温度が低い場合（低温時）には、自動洗浄機用洗浄剤組成物に含まれる界面活性剤等の成分が泡立ち易い。また、洗浄液の泡立ちは、洗浄剤組成物に含まれる界面活性剤等の成分に起因するだけでなく、食器等に付着した汚れ（食品残渣等）から持ち込まれる物質によっても発生する。例えば、油汚れ、タンパク質汚れ、デンプン汚れ等の食品由来の汚れによって、泡立ちが引き起こされる。特に激しい泡立ちを引き起こすのはタンパク質汚れであり、代表的なものとして卵汚れが挙げられる。特許文献１〜３の自動食器洗浄機用洗浄剤組成物は、このような低温時の泡立ちや、汚れに起因する泡立ちの抑制効果をより向上させる改善の余地があった。
また、業務用自動洗浄機では、通常家庭用自動洗浄機よりも高圧の水流で洗浄を行うため泡立ちも多く、より高い抑泡性が必要とされる。特許文献１〜３の自動食器洗浄機用洗浄剤組成物は、業務用自動洗浄機で使用する場合に抑泡性が不充分であり、抑泡性をより高める改善の余地があった。
【０００６】
本発明は、上記のような課題を解決するためになされたものであり、低温時の泡立ち及び汚れに起因する泡立ちを抑制することができ、業務用自動洗浄機に使用した場合にも泡立ちを抑制することができる自動洗浄機用洗浄剤組成物を提供することを目的とする。
【課題を解決するための手段】
【０００７】
本発明の自動洗浄機用洗浄剤組成物は、（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で１〜３０質量％、（ｂ）リバースプルロニック型ブロックポリマーを１１〜８０質量％、及び、（ｃ）水を１０〜５０質量％含むことを特徴とする。
【０００８】
【化１】
0005996822.tif 000002
【０００９】
（式中、Ｒ１は、炭素数２〜２０の２〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、２〜８の整数を表し、ｍ個の〔−Ｏ―（Ａ１Ｏ）ｎ−Ｈ〕は同一であってもよく、異なっていてもよい。）
【００１０】
【化２】
0005996822.tif 000003
【００１１】
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【００１２】
本明細書中、洗浄剤組成物の各成分の含量（質量％）は、特に断らない場合には洗浄剤組成物に対する純分の含量である。
【００１３】
本発明の自動洗浄機用洗浄剤組成物（以下、単に本発明の洗浄剤組成物ともいう）は、（ａ）一般式（１）で表される多価アルコールのアルキレンオキサイド付加物及び一般式（２）で表されるポリオキシアルキレンモノアルキルエーテルからなる群より選択される少なくとも１種の化合物（以下、成分（ａ）ともいう）を合計で１〜３０質量％、（ｂ）リバースプルロニック型ブロックポリマー（以下、成分（ｂ）ともいう）を１１〜８０質量％、及び、（ｃ）水（以下、成分（ｃ）ともいう）を１０〜５０質量％含む。本発明の洗浄剤組成物は、成分（ａ）及び（ｂ）を上記量含むことにより、優れた抑泡性を発揮することができるものである。このため、低温時及び食品残渣等の汚れの存在下において優れた抑泡性を発揮することができ、例えば自動洗浄機による食器等の洗浄において、洗浄機の立ち上げ時に洗浄液が低温であっても、低温〜洗浄温度の温度範囲において、洗浄液の泡立ちを抑制することができる。また、洗浄剤組成物を業務用自動洗浄機で使用する場合でも、泡立ちを抑制することができる。また、本発明の洗浄剤組成物は、成分（ａ）及び成分（ｂ）を上記量含むことにより、洗浄力が高いものである。さらに、本発明の洗浄剤組成物は、成分（ｃ）を上記量含むことにより、引火性が低く、安全性が高いものである。
洗浄液とは、自動洗浄機用洗浄剤組成物を水で希釈した又は水に溶解させた洗浄剤水溶液を意味する。
【００１４】
本発明における低温時とは、例えば、洗浄液温度が４０℃未満の場合が挙げられ、好ましくは洗浄液温度が１０〜３０℃、より好ましくは洗浄液温度が１０〜２０℃の場合である。本発明の洗浄剤組成物は、このような低温時において優れた抑泡性を発揮することができる。
【００１５】
本発明においては、上記一般式（２）において、Ｒ２が炭素数３〜１５のアルキル基を表し、上記Ａ２Ｏがオキシプロピレン基を表し、ｔが、２〜６０の数であることが好ましい。上記ポリオキシアルキレンモノアルキルエーテルが、このような化合物であると、低温時の抑泡性がより向上する。
【００１６】
上記一般式（２）で表される化合物は、ポリオキシプロピレントリデシルエーテルであることがより好ましい。ポリオキシプロピレントリデシルエーテルを含むと、低温時の抑泡性が更に向上する。
【００１７】
本発明においては、上記一般式（１）において、Ｒ１が炭素数２〜１０の２価又は３価の脂肪族アルコールから全部の水酸基を除いた残基を表し、Ａ１Ｏがオキシプロピレン基を表し、ｎが２〜２５０の数であり、ｍが２又は３の整数を表すことが好ましい。上記多価アルコールのアルキレンオキサイド付加物がこのような化合物であると、低温時の抑泡性がより向上する。
【００１８】
本発明の洗浄剤組成物は、さらに、（ｄ）２又は３価の多価アルコール、（ｅ）オキシエチレン基を有する下記一般式（３）で表されるポリオキシアルキレンモノアルキルエーテル及び（ｆ）プルロニック型ブロックポリマーからなる群より選択される少なくとも１種の化合物を合計で５〜５０質量％含むことが好ましい。
【００１９】
【化３】
0005996822.tif 000004
【００２０】
（式中、Ｒ３は、炭素数１０〜１６のアルキル基又はアルケニル基を表し、Ａ３Ｏは、同一又は異なって、オキシエチレン基を必須とする炭素数２〜４のオキシアルキレン基を表し、ｓは、オキシアルキレン基の平均付加モル数を表し、１０〜２００の数である。）
上記（ｄ）〜（ｆ）の少なくとも１種を合計で上記量含有すると、洗浄剤組成物の安定性が向上し、保管時等に成分の分離や沈殿が生じず、洗浄剤組成物の外観が透明となる。
【００２１】
本発明においては、上記リバースプルロニック型ブロックポリマー中のオキシエチレン基（ＥＯ）とオキシプロピレン基（ＰＯ）のモル比（ＥＯ／ＰＯ）が１／１０〜１／２であることが好ましい。オキシエチレン基（ＥＯ）とオキシプロピレン基（ＰＯ）のモル比（ＥＯ／ＰＯ）が上記範囲であるリバースプルロニック型ブロックポリマーを含むと、汚れ存在下での抑泡性がより向上する。
本発明の自動洗浄機用洗浄剤組成物は、自動食器洗浄機用洗浄剤組成物として好適である。
【発明の効果】
【００２２】
本発明によれば、低温時の泡立ち及び汚れに起因する泡立ちを抑制することができ、業務用自動洗浄機に使用した場合にも泡立ちを抑制することができる自動洗浄機用洗浄剤組成物が提供される。
【発明を実施するための形態】
【００２３】
以下、本発明の実施形態について具体的に説明する。しかしながら、本発明は、以下の実施形態に限定されるものではなく、本発明の要旨を変更しない範囲において適宜変更して適用することができる。
【００２４】
本発明の自動洗浄機用洗浄剤組成物は、（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で１〜３０質量％、（ｂ）リバースプルロニック型ブロックポリマーを１１〜８０質量％、及び、（ｃ）水を１０〜５０質量％含むことを特徴とする。
【００２５】
【化４】
0005996822.tif 000005
【００２６】
（式中、Ｒ１は、炭素数２〜２０の２〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、２〜８の整数を表し、ｍ個の〔−Ｏ―（Ａ１Ｏ）ｎ−Ｈ〕は同一であってもよく、異なっていてもよい。）
【００２７】
【化５】
0005996822.tif 000006
【００２８】
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【００２９】
成分（ａ）は、上記一般式（１）で表される多価アルコールのアルキレンオキサイド付加物及び上記一般式（２）で表されるポリオキシアルキレンモノアルキルエーテルからなる群より選択される少なくとも１種の化合物である。成分（ａ）として、これらの化合物を１種のみ用いてもよく、２種以上を併用してもよい。成分（ａ）を上記量含むことにより、優れた抑泡性を発揮することができる。特に低温時の抑泡性が向上し、自動洗浄機の立ち上がり時の泡立ちを抑制することができる。また、洗浄剤組成物を業務用自動洗浄機に使用した場合にも泡立ちを抑制することができる。
【００３０】
上記一般式（１）におけるＲ１は、炭素数２〜２０の２〜８価の多価アルコールから全部の水酸基を除いた残基を表す。炭素数２〜２０の２〜８価の多価アルコールとして、例えば、エチレングリコール、１，２−プロパンジオール（プロピレングリコール）、１，４−ブタンジオール等の２価のアルコール；グリセロール（グリセリン）、１，２，３−ブタントリオール、１，２，４−ブタントリオール、１，２，３−ペンタントリオール、１，２，４−ペンタントリオール、２−メチル−１，２，３−プロパントリオール、２−メチル−２，３，４−ブタントリオール、２−エチル−１，２，３−ブタントリオール、２，３，４−ペンタントリオール、３−メチルペンタン−１，３，５−トリオール、２，４−ジメチル−２，３，４−ペンタントリオール、２，３，４−ヘキサントリオール、４−プロピル−３，４，５−ヘプタントリオール、１，３，５−シクロヘキサントリオール、ペンタメチルグリセリン、トリメチロールエタン、トリメチロールプロパン等の３価のアルコール；テトラメチロールメタン（ペンタエリスリトール）、ジグリセリン等の４価のアルコール；アラビトール、ガラクトース、キシリトール、グルコース、フルクトース、マンノース、アロース、グロース、イドース、タロース等の５価のアルコール；ジペンタエリスリトール、ソルビトール、マンニトール、イジトール、イノシトール等の６価のアルコール；ペルセイトールの７価のアルコール；スクロース、マルトース、ラクトース等の８価のアルコール等が挙げられる。中でも、炭素数２〜２０の２〜６価の多価アルコールが好ましく、炭素数２〜１０の２〜６価の多価アルコールがより好ましく、例えば、エチレングリコール、１，２−プロパンジオール、グリセロール、ソルビトール、ペンタエリスリトール、トリメチロールプロパン等がさらに好ましく、エチレングリコール、１，２−プロパンジオール、グリセロール、ソルビトールが特に好ましい。また、本発明においては、上記多価アルコールとして炭素数２〜１０の２価又は３価の脂肪族アルコールがさらに好ましく、炭素数２〜４の２価の脂肪族アルコールがさらにより好ましく、エチレングリコール、１，２−プロパンジオールが特に好ましい。
【００３１】
Ａ１Ｏで表される炭素数３又は４のオキシアルキレン基は、オキシプロピレン基、オキシブチレン基である。Ａ１Ｏは、オキシプロピレン基を含むことが好ましく、全オキシアルキレン基中のオキシプロピレン基の割合は、５０モル％以上であることが好ましく、８０モル％以上であることがより好ましく、９５モル％以上がさらに好ましい。特に好ましくは、Ａ１Ｏはオキシプロピレン基である。
Ａ１Ｏとしてオキシプロピレン基及びオキシブチレン基を有する場合、これらの付加形式は、ランダム状でもよく、ブロック状でもよい。
【００３２】
一般式（１）において、ｎは、好ましくは２〜２００であり、より好ましくは２〜１００、さらに好ましくは１０〜１００、特に好ましくは１５〜１００、最も好ましくは１５〜７０である。
ｍは、好ましくは２〜６であり、より好ましくは２又は３であり、さらに好ましくは２である。
また、一般式（１）で表される多価アルコールのアルキレンオキサイド付加物は、１分子あたりのオキシアルキレン基の平均付加モル数（ｎ×ｍ）が、１０〜３００であることが好ましく、より好ましくは４０〜１５０であり、好ましくは４０〜１００である。
【００３３】
一般式（１）で表される多価アルコールのアルキレンオキサイド付加物の質量平均分子量は、２５０〜４００００であることが好ましく、５００〜１００００であることがより好ましい。
質量平均分子量は、Ｎ，Ｎ−ジメチルホルムアミド（ＤＭＦ）を展開溶媒とし、ゲルパーミエーションクロマトグラフィーでポリエチレングリコール（ＰＥＧ）を標準物質として求められる。
【００３４】
成分（ａ）における多価アルコールのアルキレンオキサイド付加物の好ましい態様の一例は、一般式（１）において、Ｒ１が炭素数２〜１０の２価又は３価の脂肪族アルコールから全部の水酸基を除いた残基を表し、Ａ１Ｏがオキシプロピレン基を表し、ｎが２〜２５０の数であり、ｍが２又は３の整数を表すことであり、より好ましくは、Ｒ１が、エチレングリコール、１，２−プロパンジオール又はグリセロールから全部の水酸基を除いた残基を表し、Ａ１Ｏが、オキシプロピレン基を表し、ｎが、１０〜２００（好ましくは、１５〜１００）の数であり、ｍが、２又は３を表す化合物である。この場合、２又は３個の〔−Ｏ―（Ａ１Ｏ）ｎ−Ｈ〕は同一であってもよく、異なっていてもよい。
また、多価アルコールのアルキレンオキサイド付加物として、一般式（１）において、Ｒ１が、トリメチロールプロパン、ペンタエリスリトール又はソルビトール（好ましくはソルビトール）から全部の水酸基を除いた残基を表し、Ａ１Ｏが、オキシプロピレン基を表し、ｎが、５〜５０（好ましくは、８〜３０）の数であり、ｍが、３、４又は６を表す化合物も好ましい。この場合、ｍ個の〔−Ｏ―（Ａ１Ｏ）ｎ−Ｈ〕は同一であってもよく、異なっていてもよい。
多価アルコールのアルキレンオキサイド付加物としてこのような化合物を含むと、低温時の抑泡性がより向上し、自動洗浄機の立ち上がり時の泡立ちをより充分に抑制することができる。
【００３５】
本発明における成分（ａ）は、一般式（２）で表されるポリオキシアルキレンモノアルキルエーテルであることが好ましい。
【００３６】
上記一般式（２）におけるＲ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。
【００３７】
一般式（２）において、Ｒ２は、好ましくは炭素数１〜２０のアルキル基である。本発明におけるポリオキシアルキレンモノアルキルエーテルは、一般式（２）において、Ｒ２が、炭素数１〜２０のアルキル基を表すポリオキシアルキレンモノアルキルエーテルであることが好ましい。洗浄剤組成物がこのような化合物を含むと、低温時の抑泡性がより向上し、自動洗浄機の立ち上がり時の泡立ちをより充分に抑制することができる。
【００３８】
炭素数１〜２０のアルキル基としては、例えば、メチル基、エチル基、ｎ−プロピル基、イソプロピル基、ｎ−ブチル基、イソブチル基、ｔ−ブチル基、ｎ−ペンチル基、ｔ−ペンチル基、ｎ−ヘキシル基、ｓ−ヘキシル基、ｔ−ヘキシル基、イソヘキシル基、ｎ−ヘプチル基、ｓ−ヘプチル基、ｔ−ヘプチル基、イソヘプチル基、ｎ−オクチル基、ｓ−オクチル基、ｔ−オクチル基、イソオクチル基、２−エチルへキシル基、３−エチルへキシル基、ｎ−ノニル基、ｓ−ノニル基、ｔ−ノニル基、イソノニル基、ｎ−デシル基、ｓ−デシル基、ｔ−デシル基、イソデシル基、ｎ−ウンデシル基、ｓ−ウンデシル基、ｔ−ウンデシル基、イソウンデシル基、ｎ−ドデシル基、ｓ−ドデシル基、ｔ−ドデシル基、イソドデシル基、ｎ−トリデシル基、ｓ−トリデシル基、ｔ−トリデシル基、イソトリデシル基、ｎ−テトラデシル基、ｓ−テトラデシル基、ｔ−テトラデシル基、イソテトラデシル基、ｎ−ペンタデシル基、ｓ−ペンタデシル基、ｔ−ペンタデシル基、イソペンタデシル基、ｎ−ヘキサデシル基、ｓ−ヘキサデシル基、ｔ−ヘキサデシル基、イソヘキサデシル基、ｎ−ヘプタデシル基、ｓ−ヘプタデシル基、ｔ−ヘプタデシル基、イソヘプタデシル基、ｎ−オクタデシル基、ｓ−オクタデシル基、ｔ−オクタデシル基、イソオクタデシル基等の直鎖又は分岐鎖アルキル基が挙げられる。中でも、炭素数３〜１５のアルキル基が好ましく、炭素数４〜１５のアルキル基がより好ましく、炭素数１２〜１５のアルキル基がさらに好ましく、炭素数１３のアルキル基が特に好ましい。また、アルキル基は、分岐鎖アルキル基が好ましい。
【００３９】
炭素数２〜２０のアルケニル基としては、例えば、ビニル基、１−プロペニル基、２−プロペニル基、２−ブテニル基、３−ブテニル基、３−ペンテニル基、４−ペンテニル基、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基等の直鎖又は分岐鎖アルケニル基が挙げられる。中でも、炭素数４〜１５のアルケニル基が好ましく、例えば、２−ブテニル基、３−ブテニル基、デセニル基、ウンデセニル基、ドデセニル基、トリデセニル基、テトラデセニル基、ペンタデセニル基が好ましく、炭素数５〜１５のアルケニル基がより好ましく、トリデセニル基が特に好ましい。
【００４０】
Ａ２Ｏで表される炭素数３又は４のオキシアルキレン基は、オキシプロピレン基、オキシブチレン基である。Ａ２Ｏは、オキシプロピレン基を含むことが好ましく、全オキシアルキレン基中のオキシプロピレン基の割合は、５０モル％以上であることが好ましく、８０モル％以上であることがより好ましく、９５モル％以上がさらに好ましい。特に好ましくは、Ａ２Ｏはオキシプロピレン基である。
Ａ２Ｏとしてオキシプロピレン基及びオキシブチレン基を有する場合、これらの付加形式は、ランダム状でもよく、ブロック状でもよい。
ｔは、好ましくは２〜６０であり、より好ましくは２〜５５、さらに好ましくは２〜１０である。
【００４１】
一般式（２）で表されるポリオキシアルキレンモノアルキルエーテルの質量平均分子量は、１５０〜５０００であることが好ましく、２５０〜４０００であることがより好ましい。
上記質量平均分子量は、ＤＭＦを展開溶媒とし、ゲルパーミエーションクロマトグラフィーでＰＥＧを標準物質として求められる。
【００４２】
一般式（２）の好ましい態様の一例として、Ｒ２が炭素数３〜１５のアルキル基を表し、Ａ２Ｏがオキシプロピレン基を表し、ｔが、２〜６０の数であることが挙げられる。より好ましくは、一般式（２）において、Ｒ２が炭素数４〜１５（より好ましくは炭素数１２〜１５）のアルキル基を表し、Ａ２Ｏがオキシプロピレン基を表し、ｔが、２〜６０の数である。ポリオキシアルキレンモノアルキルエーテルがこのような化合物であると、低温時の抑泡性がより向上する。
【００４３】
本発明においては、上記一般式（２）で表されるポリオキシアルキレンモノアルキルエーテルが、Ｒ２が炭素数１２〜１５のアルキル基であるポリオキシプロピレンモノアルキルエーテルであることが好ましく、ポリオキシプロピレントリデシルエーテルであることが特に好ましい。ポリオキシプロピレントリデシルエーテルを含有すると、低温時の抑泡性が特に良好であるため好ましい。Ｒ２が炭素数１２〜１５のアルキル基であるポリオキシアルキレンモノアルキルエーテル（好ましくはポリオキシプロピレントリデシルエーテル）は、好ましくはオキシプロピレン基の平均付加モル数（ｔ）が２〜５０（より好ましくは２〜１０、さらに好ましくは２〜８）である。
【００４４】
本発明の洗浄剤組成物は、成分（ａ）を１〜３０質量％含有する。成分（ａ）の含量は、好ましくは１〜２０質量％であり、より好ましく１〜１０質量％である。成分（ａ）の含量が上記範囲であると、低温時の抑泡性が特に良好となる。成分（ａ）に２種以上の化合物が含まれる場合、上記含量は、それらの合計として定める。
【００４５】
本発明における成分（ｂ）は、リバースプルロニック型ブロックポリマーである。リバースプルロニック型ブロックポリマーは、１種のみ用いてもよく、２種以上を併用してもよい。成分（ｂ）を上記量含むことにより、優れた抑泡性を発揮することができる。特に、汚れ存在下での抑泡性が向上し、洗浄液中に汚れが多量に存在する場合でも泡立ちを抑制することができる。また、洗浄剤組成物を業務用自動洗浄機に使用した場合にも泡立ちを抑制することができる。さらに、成分（ｂ）を上記量含むことにより、高い洗浄力を発揮することができる。
【００４６】
リバースプロニック型ブロックポリマーの質量平均分子量は、好ましくは１０００〜６０００であり、より好ましくは２０００〜５０００である。質量平均分子量が上記範囲であると、汚れ存在下での抑泡性がより向上する。
上記質量平均分子量は、ＤＭＦを展開溶媒とし、ゲルパーミエーションクロマトグラフィーでＰＥＧを標準物質として求められる。
【００４７】
上記リバースプルロニック型ブロックポリマー中のオキシエチレン基（ＥＯ）とオキシプロピレン基（ＰＯ）のモル比（ＥＯ／ＰＯ）は１／１０〜１／２であることが好ましく、１／６〜１／２であることがより好ましい。ＥＯ／ＰＯのモル比が上記割合であるリバースプルロニック型ブロックポリマーを含むと、汚れ存在下での抑泡性がより向上する。
【００４８】
本発明の洗浄剤組成物は、成分（ｂ）を１１〜８０質量％含有する。成分（ｂ）の含量は、好ましくは３０〜７０質量％であり、より好ましく４０〜７０質量％である。成分（ｂ）の含量が上記範囲であると、汚れ存在下での抑泡性がより向上する。また、洗浄力がより向上する。成分（ｂ）に２種以上の化合物が含まれる場合、上記含量は、それらの合計として定める。
【００４９】
本発明の洗浄剤組成物は、成分（ｃ）として水を１０〜５０質量％含有する。成分（ｃ）をこの量含有する本発明の洗浄剤組成物は、通常液体（液体洗浄剤組成物）である。成分（ｃ）を上記量含むことにより、本発明の洗浄剤組成物は、引火等の危険性がなく安全なものである。
【００５０】
成分（ｃ）の水としては、水道水、軟水、イオン交換水、純水、精製水、工業用水等が挙げられる。これらは１種のみ用いてもよく、２種以上を併用してもよい。なお、成分（ｃ）の水は、洗浄剤組成物を構成する各成分に由来する結晶水や水溶液の形で含まれる水と外から加えられる水との総和である。
成分（ｃ）の含量は、好ましくは１０〜４０質量％であり、より好ましく１５〜３５質量％である。
【００５１】
本発明の洗浄剤組成物は、本発明の効果を損なわない限り、成分（ａ）〜（ｃ）以外の成分を含んでもよい。
例えば、さらに、（ｄ）２又は３価の多価アルコール（以下、成分（ｄ）ともいう）、（ｅ）オキシエチレン基を有する下記一般式（３）で表されるポリオキシアルキレンモノアルキルエーテル（以下、成分（ｅ）ともいう）及び（ｆ）プルロニック型ブロックポリマー（以下、成分（ｆ）ともいう）からなる群より選択される少なくとも１種の化合物を合計で５〜５０質量％含むことが好ましく、５〜３０質量％含むことがより好ましい。
【００５２】
【化６】
0005996822.tif 000007
【００５３】
（式中、Ｒ３は、炭素数１０〜１６のアルキル基又はアルケニル基を表し、Ａ３Ｏは、同一又は異なって、オキシエチレン基を必須とする炭素数２〜４のオキシアルキレン基を表し、ｓは、オキシアルキレン基の平均付加モル数を表し、１０〜２００の数である。）
洗浄剤組成物が成分（ｄ）〜（ｆ）の少なくとも１種を含有し、これらの合計含量が５〜５０質量％であると、洗浄剤組成物の安定性がより向上し、外観が透明となるため好ましい。中でも、安定性がより良好となることから、成分（ｄ）及び成分（ｆ）からなる群より選択される少なくとも１種を含有することがより好ましく、成分（ｄ）の少なくとも１種を含有することがさらに好ましい。
【００５４】
成分（ｄ）としては、炭素数２〜１５の２又は３価の多価アルコールが好ましく、例えば、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、ジプロピレングリコール等の２価のアルコール；グリセロール、１，２，３−ブタントリオール、１，２，４−ブタントリオール、１，２，３−ペンタントリオール、１，２，４−ペンタントリオール、２−メチル−１，２，３−プロパントリオール、２−メチル−２，３，４−ブタントリオール、２−エチル−１，２，３−ブタントリオール、２，３，４−ペンタントリオール、３−メチルペンタン−１，３，５−トリオール、２，４−ジメチル−２，３，４−ペンタントリオール、２，３，４−ヘキサントリオール、４−プロピル−３，４，５−ヘプタントリオール、１，３，５−シクロヘキサントリオール、ペンタメチルグリセリン、トリメチロールエタン、トリメチロールプロパン等の３価のアルコール等が挙げられる。中でも、炭素数３〜１０の２又は３価の多価アルコールが好ましく、炭素数３〜７の２価の脂肪族アルコールがより好ましく、炭素数４〜６の２価の脂肪族アルコールがさらに好ましく、１，４−ブタンジオール、１，５−ペンタンジオール、ジプロピレングリコール等が特に好ましい。
【００５５】
洗浄剤組成物が成分（ｄ）を含む場合、その含量は、好ましくは５〜４０質量％であり、より好ましくは５〜３０質量％である。成分（ｄ）に２種以上の化合物が含まれる場合、上記含量は、それらの合計として定める。
【００５６】
一般式（３）における、Ｒ３は、炭素数１０〜１６のアルキル基又はアルケニル基を表すが、好ましくは炭素数１０〜１６のアルキル基を表す。
炭素数１０〜１６のアルキル基としては、ｎ−デシル基、ｓ−デシル基、ｔ−デシル基、イソデシル基、ｎ−ウンデシル基、ｓ−ウンデシル基、ｔ−ウンデシル基、イソウンデシル基、ｎ−ドデシル基、ｓ−ドデシル基、ｔ−ドデシル基、イソドデシル基、ｎ−トリデシル基、ｓ−トリデシル基、ｔ−トリデシル基、イソトリデシル基、ｎ−テトラデシル基、ｓ−テトラデシル基、ｔ−テトラデシル基、イソテトラデシル基、ｎ−ペンタデシル基、ｓ−ペンタデシル基、ｔ−ペンタデシル基、イソペンタデシル基、ｎ−ヘキサデシル基、ｓ−ヘキサデシル基、ｔ−ヘキサデシル基、イソヘキサデシル基等の直鎖又は分岐鎖アルキル基が挙げられる。中でも、炭素数１２〜１５のアルキル基がより好ましく、ｓ−ドデシル基、ｓ−テトラデシル基等がさらに好ましい。
【００５７】
炭素数１０〜１６のアルケニル基としては、例えば、デセニル基、ウンデセニル基、ドデセニル基、トリデセニル基、テトラデセニル基、ペンタデセニル基、ヘキサデセニル基等が挙げられる。中でも、炭素数１２〜１５のアルケニル基がより好ましく、ドデセニル基、テトラデセニル基等がさらに好ましい。
【００５８】
Ａ３Ｏは、オキシエチレン基を必須とし、オキシプロピレン基及び／又はオキシブチレン基を含んでもよいが、５０モル％以上がオキシエチレン基であることが好ましく、より好ましくは６０〜９０モル％がオキシエチレン基である。
ｓは、好ましくは、１０〜５０であり、より好ましくは１０〜３０である。
【００５９】
成分（ｅ）として使用される一般式（３）で表される化合物として、オキシエチレン基の平均付加モル数が５〜１５であるポリオキシアルキレンモノアルキルエーテル等が好ましい。
【００６０】
洗浄剤組成物が成分（ｅ）を含む場合、その含量は、好ましくは５〜４０質量％であり、より好ましくは５〜２０質量％である。成分（ｅ）に２種以上の化合物が含まれる場合、上記含量は、それらの合計として定める。
【００６１】
成分（ｆ）として使用されるプルロニック型ブロックポリマーは、オキシエチレン基（ＥＯ）とオキシプロピレン基（ＰＯ）のモル比（ＥＯ／ＰＯ）が１／１０〜１／２であることが好ましく、１／７〜１／２であることがより好ましい。ＥＯ／ＰＯのモル比が上記割合であるプルロニック型ブロックポリマーを含むと、洗浄剤組成物の洗浄力がより向上する。
【００６２】
プルロニック型ブロックポリマーは、好ましくは質量平均分子量が１０００〜５０００、より好ましくは２０００〜４０００である。質量平均分子量が上記範囲であると、洗浄剤組成物の洗浄力がより向上する。
【００６３】
洗浄剤組成物が成分（ｆ）を含む場合、その含量は、好ましくは５〜４０質量％であり、より好ましくは５〜２０質量％である。成分（ｆ）に２種以上の化合物が含まれる場合、上記含量は、それらの合計として定める。
【００６４】
本発明の洗浄剤組成物は、本発明の効果を損なわない限り、上述した成分（ａ）〜（ｃ）及び所望により配合される成分（ｄ）〜（ｆ）以外の成分を含んでいてもよく、例えば、無機塩、成分（ａ）、（ｂ）及び（ｆ）以外の界面活性剤（以下、その他の界面活性剤という）、香料、色素、酵素等の１種又は２種以上を含んでもよい。中でも、無機塩、酵素の１種又は２種以上を含むことが好ましい。
【００６５】
無機塩としては、例えば、水酸化カリウム（苛性カリ）、水酸化ナトリウム（苛性ソーダ）、ケイ酸塩、炭酸ナトリウム、炭酸水素ナトリウム等が挙げられる。これらは１種のみ用いてもよく、２種以上を併用してもよい。中でも、ケイ酸塩が好ましい。洗浄剤組成物が無機塩を含有すると、洗浄力が向上する。
【００６６】
ケイ酸塩としては、例えば、ケイ酸ナトリウム（メタケイ酸ナトリウム、セスキケイ酸ナトリウム、オルソケイ酸ナトリウム、ケイ酸ソーダ１号、ケイ酸ソーダ２号、ケイ酸ソーダ３号、ケイ酸ソーダ４号）、ケイ酸カリウム（メタケイ酸カリウム、セスキケイ酸カリウム、オルソケイ酸カリウム）等のケイ酸のアルカリ金属塩が挙げられる。
洗浄剤組成物が無機塩を含有する場合、その含量は、０．１〜１０質量％が好ましく、１〜５質量％がより好ましい。無機塩に２種以上の化合物が含まれる場合、上記含量は、それらの合計として定める。
【００６７】
その他の界面活性剤としては、陰イオン界面活性剤、陽イオン界面活性剤、両性界面活性剤、成分（ａ）、（ｂ）及び（ｆ）以外の非イオン界面活性剤（以下、単に非イオン界面活性剤ともいう）等を使用することができ、好ましくは非イオン界面活性剤である。非イオン界面活性剤として、例えば、ポリオキシアルキレンジアルキルエーテル、テトロニック型ブロックポリマー、リバーステトロニック型ブロックポリマー、ポリオキシアルキレンアルキルフェニルエーテル、脂肪酸アルカノールアミド、ポリオキシアルキレン脂肪酸アルカノールアミド、ポリオキシアルキレン脂肪酸エステル、ポリオキシアルキレンソルビタン脂肪酸エステル、ポリグリセリン脂肪酸エステル、ソルビタン脂肪酸エステル、ショ糖脂肪酸エステル、アルキルポリグリコシド、ポリオキシエチレンメチルエーテル脂肪酸エステル、ポリオキシアルキレンアルキルアミン等が挙げられる。中でも、テトロニック型ブロックポリマーが好ましい。
【００６８】
洗浄剤組成物がその他の界面活性剤を含有する場合、その含量は、洗浄剤組成物に対して２０質量％以下であることが好ましく、１０質量％以下がより好ましく、実質的にその他の界面活性剤を含有しないことが特に好ましい。
【００６９】
本発明の洗浄剤組成物は、必要に応じて、成分（ａ）及び成分（ｂ）以外の他の消泡剤（例えば、シリコーン系消泡剤等）を含有してもよいが、成分（ａ）及び成分（ｂ）を含有することにより優れた抑泡性を発揮することから、他の消泡剤の含量は、５質量％以下が好ましく、実質的に他の消泡剤を含有しないことが好ましい。
【００７０】
本発明の洗浄剤組成物の製造方法は特に限定されず、成分（ａ）〜（ｃ）及び所望により配合される他の成分を混合又は撹拌等することにより製造することができる。各成分を混合する順番、混合又は撹拌の方法等は特に限定されない。
【００７１】
本発明の自動洗浄機用洗浄剤組成物が使用される自動洗浄機は特に限定されないが、例えば、スプレー式自動洗浄機等が挙げられる。スプレー式自動洗浄機として、例えば、自動食器洗浄機、コンテナ洗浄機等が挙げられる。中でも、本発明の洗浄剤組成物は、自動食器洗浄機用洗浄剤組成物として好適に使用される。
本発明の洗浄剤組成物は、業務用又は家庭用の自動洗浄機用として好適に使用されるが、業務用自動洗浄機用としてより好適であり、業務用の自動食器洗浄機用洗浄剤組成物として特に好適である。
【００７２】
本発明の洗浄剤組成物を含む洗浄液により、自動洗浄機を用いて、食器等の被洗浄物を洗浄することができる。洗浄液としては、通常、本発明の洗浄剤組成物を水道水等の水に溶解させた洗浄液、又は、該洗浄剤組成物を水で適宜希釈した洗浄液を使用する。洗浄液中の本発明の洗浄剤組成物の濃度は、被洗浄物の状態等に応じて適宜設定することができる。例えば、洗浄液中の本発明の洗浄剤組成物の濃度は、０．０１〜０．１質量％が好ましく、０．０１〜０．０５質量％がより好ましい。本発明の洗浄剤組成物を上記濃度含む洗浄液は、優れた洗浄力及び抑泡性を発揮することができる。
【００７３】
本発明の洗浄剤組成物は、抑泡性が高く、洗浄液中に少量（例えば、０．０１〜０．０５質量％）配合することによって、自動洗浄機による食器等の洗浄において、泡立ちを抑制することができるものである。また、本発明の洗浄剤組成物は、該洗浄剤組成物以外の自動洗浄機用洗浄剤組成物（以下、自動洗浄機用洗剤ともいう）と併用した場合でも、優れた抑泡性を発揮することができるものである。このため本発明の洗浄剤組成物は、自動洗浄機用洗剤（主洗浄剤組成物）の使用時に添加して使用される補助洗浄剤組成物としても好適に使用される。このように自動洗浄機用洗剤と併用される本発明の洗浄剤組成物は、本発明の好ましい実施態様の一例である。
【００７４】
自動洗浄機用洗剤の使用時に、本発明の洗浄剤組成物を補助洗浄剤組成物として添加することにより、充分な抑泡性を補足することができる。このため、自動洗浄機用洗剤の使用時に、低温時及び食品残渣等の汚れの存在下において泡立ちを充分に抑制することができる。また、自動洗浄機用洗剤を業務用自動洗浄機で使用する場合でも、泡立ちを充分に抑制することができる。
【００７５】
本発明の洗浄剤組成物を補助洗浄剤組成物として使用する場合、本発明の洗浄剤組成物と併用される自動洗浄機用洗剤は特に限定されないが、例えば、アルカリ剤を含むことが好ましく、アルカリ剤として、例えば、上記の無機塩（水酸化カリウム、水酸化ナトリウム、ケイ酸塩、炭酸ナトリウム、炭酸水素ナトリウム等）１種又は２種以上を含むことがより好ましい。本発明の洗浄剤組成物の好ましい実施態様の一例は、アルカリ剤を含む自動洗浄機用洗剤の使用時に、該自動洗浄機用洗剤に添加する補助洗浄剤組成物である。アルカリ剤の含量は、自動洗浄機用洗剤中に好ましくは５〜８５質量％であり、より好ましくは１０〜５０質量％である。アルカリ剤に２種以上の化合物が含まれる場合、上記含量は、それらの合計として定める。
自動洗浄機用洗剤は、キレート剤、可溶化剤、漂白剤、腐食防止剤、除菌剤、酵素等の１種又は２種以上を含有していてもよい。また、質量平均分子量３０００〜３０００００の高分子分散剤を含有してもよい。自動洗浄機用洗剤の剤形は、液体、固体（粉末、顆粒（粒状）、錠剤、タブレット、フレーク又はブロック等）のいずれでもよい。
【００７６】
本発明の洗浄剤組成物を補助洗浄剤組成物として使用する場合の使用量は、自動洗浄機用洗剤１００質量部に対して、本発明の洗浄剤組成物を１〜４０質量部使用することが好ましく、５〜２０質量部使用することがより好ましい。使用量が上記範囲であると、自動洗浄機用洗剤による洗浄力と、本発明の洗浄剤組成物による抑泡性とを充分に発揮させることができる。
また、自動洗浄機用洗剤と本発明の洗浄剤組成物とは、使用時まで分離されていることが好ましい。
【００７７】
本発明の洗浄剤組成物を補助洗浄剤組成物として、自動洗浄機用洗剤と併用する場合には、本発明の洗浄剤組成物及び自動洗浄機用洗剤を含む洗浄液により、自動洗浄機を用いて、食器等の被洗浄物を洗浄することができる。補助洗浄剤組成物として使用する場合、洗浄液中の本発明の洗浄剤組成物の濃度は、自動洗浄機用洗剤の種類や被洗浄物の状態等に応じて適宜設定することができる。例えば、補助洗浄剤組成物として使用する場合、洗浄液中の本発明の洗浄剤組成物の濃度は、０．０１〜０．１質量％が好ましく、０．０１〜０．０５質量％がより好ましい。本発明の洗浄剤組成物は、上記濃度範囲において、優れた抑泡性を発揮することができる。
【実施例】
【００７８】
以下、本発明をより具体的に説明する実施例を示す。なお、本発明はこれらの実施例のみに限定されるものではない。
【００７９】
＜実施例１〜２０＞
表１に示す成分を、表１に示す割合となるように配合し、混合することにより実施例１〜２０の各洗浄剤組成物を製造した。洗浄剤組成物は、いずれも液体状であった。表１中の数値は、洗浄剤組成物に対する各成分の純分の割合（質量％）である。
【００８０】
＜比較例１〜４＞
表２に示す成分を、表２に示す割合となるように配合し、混合することにより比較例１〜４の各洗浄剤組成物を製造した。洗浄剤組成物は、いずれも液体状であった。表２中の数値は、洗浄剤組成物に対する各成分の純分の割合（質量％）である。
【００８１】
実施例１〜２０及び比較例１〜４で製造した洗浄剤組成物について、以下の方法で外観、洗浄力及び抑泡性の評価を行った。
【００８２】
＜外観＞
２５℃における洗浄剤組成物（溶液）の状態を目視にて評価した。
（評価基準）
○：透明
×：白濁又は分離
【００８３】
＜洗浄力＞
（１）汚垢の調製
汚垢の調製：９０ｇの精製水に小麦粉を１０ｇ、卵黄を７０ｇ、ラードを３５ｇ及び牛脂を３５ｇ、加えてよく撹拌して溶解させた。得られた混合物を汚垢とした。この汚垢１ｇを、プラスチック製の容器（弁当箱）の内側全面に塗り広げ、室温で乾燥させたものを洗浄試験用試料とした。
（２）洗浄試験
各洗浄剤組成物を自動食器洗浄機（ホシザキ電機社製  ＪＷ６５０）に投入し、被洗浄食器として、洗浄試験用試料（プラスチック製容器）１個を、口部を下向きにしてラック上にセットした。洗浄動作を１分間行い、続いて、８０±４℃のすすぎ湯水によるすすぎ洗いを２２秒間行なった。食器洗浄性の評価は、目視で食器を観察することにより行い、汚垢が落ちているか否か及び汚垢が落ちているとすればその程度を確認することにより判定した。洗浄剤組成物の投入量は、自動食器洗浄機内の水量に対して洗浄剤組成物の濃度が０．０１質量％になるようにした。
（評価）
○：汚垢の除去面積が８０％以上
△：汚垢の除去面積が５０％以上８０％未満
×：汚垢の除去面積が５０％未満
【００８４】
＜抑泡性＞
（１）２０℃の抑泡性
自動洗浄機を立ち上げる（稼働させる）際に、湯ではなく水で稼働させた場合の抑泡性を評価するため、２０℃における抑泡性を評価した。
各洗浄剤組成物を自動食器洗浄機（ホバート社製、業務用ラックコンベア式食器洗浄機Ｃ４４Ｂ）に１７ｇ投入して、水温２０℃で２分間洗浄動作を行い(自動食器洗浄機内の水量に対して洗浄剤組成物の濃度が０．０２質量％)、洗浄停止から３０秒後における液面からの泡の高さ（ｍｍ）を定規を用いて測定した。
（２）汚れ存在下での抑泡性
汚れ存在下での抑泡性を評価するため、鶏卵を洗浄液に投入して、抑泡性の評価を行った。
洗浄剤組成物１７ｇ及び鶏卵（全卵の卵液）４５ｇを自動食器洗浄機（ホバート社製、業務用ラックコンベア式食器洗浄機Ｃ４４Ｂ）に投入して、水温５０℃で２分間洗浄動作を行い、洗浄停止から３０秒後における液面からの泡の高さ（ｍｍ）を定規を用いて測定した。
（評価）
◎：洗浄機を停止して３０秒後の泡高が３０ｍｍ未満
○：洗浄機を停止して３０秒後の泡高が３０ｍｍ以上５０ｍｍ未満
△：洗浄機を停止して３０秒後の泡高が５０ｍｍ以上１００ｍｍ未満
×：洗浄機を停止して３０秒後の泡高が１００ｍｍ以上
【００８５】
上記の洗浄力及び抑泡性の試験において、実施例又は比較例で調製した各洗浄剤組成物に加えて、アルカリ剤（水酸化ナトリウム、水酸化カリウム）を含むアルカリ自動食器洗浄機用洗浄剤組成物（製品名リキッドＰＨ、(株)ニイタカ製）を使用して評価を行った。
実施例又は比較例で調製した各洗浄剤組成物に加えて、上記のアルカリ自動食器洗浄機用洗浄剤組成物（アルカリ洗浄剤）を、自動食器洗浄機内の水量に対して０．１質量％となるように使用した以外は、上記の洗浄力及び抑泡性の試験と同じ方法及び評価基準で評価を行った。
【００８６】
実施例及び比較例で製造した各洗浄剤組成物の組成並びに評価結果を表１〜２に示した。
【００８７】
【表１】
0005996822.tif 000008
【００８８】
【表２】
0005996822.tif 000009
【００８９】
表１〜２中に記載した化合物等は、以下の通りである。
成分（ａ）
アルキレンオキサイド付加物（１）：グリセロールのプロピレンオキサイド（ＰＯ）付加物である、ポリオキシプロピレントリオール。質量平均分子量が４０００
アルキレンオキサイド付加物（２）：ソルビトールＰＯ付加物（質量平均分子量５５００）
アルキレンオキサイド付加物（３）：ポリプロピレングリコール（質量平均分子量４０００）
ポリオキシアルキレンモノアルキルエーテル（１）：ポリオキシプロピレントリデシルエーテル（質量平均分子量４３０）
ポリオキシアルキレンモノアルキルエーテル（２）：ポリオキシプロピレンエチルヘキシルエーテル（質量平均分子量１３００）
ポリオキシアルキレンモノアルキルエーテル（３）：ポリオキシプロピレンブチルエーテル（質量平均分子量１９００）
ポリオキシアルキレンモノアルキルエーテル（４）：ポリオキシプロピレンテトラデシルエーテル（質量平均分子量４４５）
ポリオキシアルキレンモノアルキルエーテル（５）：ポリオキシプロピレンペンタデシルエーテル（質量平均分子量４００）
【００９０】
成分（ｂ）
リバースプルロニック型ブロックポリマー（１）：質量平均分子量が４０００、ＥＯ／ＰＯのモル比が１／３
リバースプルロニック型ブロックポリマー（２）：質量平均分子量が４５００、ＥＯ／ＰＯのモル比が１／３．５
【００９１】
成分（ｅ）
ポリオキシアルキレンモノアルキルエーテル：質量平均分子量が９００、一般式（３）において、Ｒ３がｓ−ドデシル基であり、Ａ３Ｏがオキシエチレン基（ＥＯ）及びオキシプロピレン基（ＰＯ）であり、ＥＯ／ＰＯのモル比が３／１である化合物
成分（ｆ）
プルロニック型ブロックポリマー：（質量平均分子量：２７００、ＥＯ／ＰＯのモル比が２／８）
【００９２】
表１〜２から、実施例１〜２０の洗浄剤組成物は、業務用自動洗浄機において、低温時及び汚れ存在下において高い抑泡性を示した。さらに、実施例１〜２０の洗浄剤組成物は、洗浄力に優れるものであった。
【要約】
【課題】低温時の泡立ち及び汚れに起因する泡立ちを抑制することができ、業務用自動洗浄機に使用した場合にも泡立ちを抑制することができる自動洗浄機用洗浄剤組成物を提供すること。
【解決手段】（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で１〜３０質量％、（ｂ）リバースプルロニック型ブロックポリマーを１１〜８０質量％、及び、（ｃ）水を１０〜５０質量％含む自動洗浄機用洗浄剤組成物。
［化１］
0005996822.tif 000013
（式中、Ｒ１は、炭素数２〜２０の２〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、２〜８の整数を表し、ｍ個の〔−Ｏ―（Ａ１Ｏ）ｎ−Ｈ〕は同一であってもよく、異なっていてもよい。）
［化２］
0005996822.tif 000014
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【選択図】なし